(57)【要約】【課題】本発明は、電力用ケーブルの撚り戻し工具を使用し、複数の単位ケーブルを撚り合わせて形成した電力用ケーブルを撚り戻すことによって、事故相である単位ケーブルを健全相である単位ケーブルから分離して補修する、電力用ケーブルの補修方法を提供する。【解決手段】本発明に係る電力用ケーブルの補修方法は、電力用ケーブルの事故箇所から両側に所定距離離れた箇所に２個の撚り戻し工具を装着する工程（Ｋ１）と、撚り戻し工具を互いに電力用ケーブルの撚り方向と逆方向に回して電力用ケーブルの撚りを戻す工程（Ｋ２）と、事故相である単位ケーブルを健全相である単位ケーブルから分離させる工程（Ｋ３）と、事故相である単位ケーブルを切断する工程（Ｋ５）と、撚り戻し工具を電力用ケーブルから取り外す工程（Ｋ６）と、事故相である単位ケーブルの一部を除去し、新しい単位ケーブルで接続する工程（Ｋ７）と、から成る。【選択図】図１
2006246579.tif 000002
【特許請求の範囲】
【請求項１】
電力用ケーブルの撚り戻し工具を使用し、複数の単位ケーブルを撚り合わせて形成した電力用ケーブルを撚り戻すことによって、事故相である単位ケーブルのみを健全相である単位ケーブルから分離して補修する電力用ケーブルの補修方法であって、電力用ケーブルの事故箇所から両側に所定距離離れた箇所に２個の撚り戻し工具を装着する工程と、撚り戻し工具を互いに電力用ケーブルの撚り方向と逆方向に回して電力用ケーブルの撚りを戻す工程と、事故相である単位ケーブルを健全相である単位ケーブルから分離させる工程と、事故相である単位ケーブルを切断する工程と、撚り戻し工具を電力用ケーブルから取り外す工程と、事故相である単位ケーブルの一部を除去し、新しい単位ケーブルで接続する工程と、から成ることを特徴とする電力用ケーブルの補修方法。
【請求項２】
３本の単位ケーブルを撚り合わせて形成した電力用ケーブルを撚り戻す請求項１に記載の電力用ケーブルの補修方法。
【請求項３】
事故相である単位ケーブルを切断する工程において、健全相である単位ケーブルの上に切断防護板を被せる請求項１または２に記載の電力用ケーブルの補修方法。
【請求項４】
電力用ケーブルの撚り戻し工具は、外枠と、外枠の内側に調整機構を介して配置された複数の押圧体とから成り、押圧体の正面側に、電力用ケーブルの外周面形状に沿う弾性体を備え、この弾性体を電力用ケーブルに当接させながら電力用ケーブルを撚り戻す請求項１乃至３のいずれかに記載の電力用ケーブルの補修方法。
【請求項５】
電力用ケーブルの撚り戻し工具は、隣接する単位ケーブルの外周面形状に沿うように形成された弾性体を備え、この弾性体を単位ケーブルに当接させながら電力用ケーブルを撚り戻す請求項１乃至４のいずれかに記載の電力用ケーブルの補修方法。
【請求項６】
電力用ケーブルの撚り戻し工具は、外枠の内側に３個の押圧体を備え、この３個の押圧体を電力用ケーブルに当接させて単位ケーブルを撚り戻す請求項１乃至５のいずれかに記載の電力用ケーブルの補修方法。
【請求項７】
電力用ケーブルの撚り戻し工具は、２個の半円状枠部により形成され、一方の半円状枠部に１個の押圧体が配置され、他方の半円状枠部に２個の押圧体が配置され、電力用ケーブルに両半円状枠部を装着して、３個の押圧体を電力用ケーブルに当接させて電力用ケーブルを撚り戻す請求項１乃至６のいずれかに記載の電力用ケーブルの補修方法。
【発明の詳細な説明】
【技術分野】
【０００１】
本発明は、電力用ケーブルの撚り戻し工具を使用し、複数の単位ケーブルを撚り合わせて形成した電力用ケーブルを撚り戻すことによって、事故相である単位ケーブルを健全相である単位ケーブルから分離して補修する、電力用ケーブルの補修方法に関するものである。
【０００２】
電力用ケーブルＣは、一般的に三相の電力を送電するために、図１５に示すように、３本の単位ケーブルｃ１・ｃ２・ｃ３から構成されている。この電力用ケーブルＣは、隣合う単位ケーブルｃ１・ｃ２・ｃ３同士の外周面が接するようにして撚り合わせ、３本の単位ケーブルｃ１・ｃ２・ｃ３を実質的に一本化している。
【０００３】
このように、３本の単位ケーブルｃ１・ｃ２・ｃ３を撚り合わせて実質的に一本化している電力用ケーブルＣにおいては、３本の単位ケーブルｃ１・ｃ２・ｃ３の中の１本だけ（例えばｃ１）に絶縁破壊等の不具合が発生した場合であっても、３本の単位ケーブルｃ１・ｃ２・ｃ３を一体的に撚り合わせた状態にあることから、事故相の単位ケーブル（例えばｃ１）を他の単位ケーブル（例えばｃ２・ｃ３）から分離し、事故相の単位ケーブル（例えばｃ１）だけを切断したり、再接続することは非常に困難である。
【０００４】
そこで、図１６（説明を簡単にするために単位ケーブルｃ１・ｃ２・ｃ３に撚りを与えていない）に示すように、１本の単位ケーブル（例えばｃ１）に不具合が発生した場合であっても、健全相である他の２本の単位ケーブル（例えばｃ２・ｃ３）も含めて、３本の単位ケーブル（ｃ１・ｃ２・ｃ３）を一緒に切断していた。そして、交換用の３本の単位ケーブルを別に用意し、この交換用の単位ケーブルを切断箇所に配置して全体の単位ケーブルを接続していた。
【０００５】
しかしながら、上述した電力用ケーブルＣ（ｃ１・ｃ２・ｃ３）の補修方法では、例えば、不具合が発生している単位ケーブル（ｃ１）について約７ｍの長さの切断を必要とし、これに伴なって健全相である２本の単位ケーブル（ｃ２・ｃ３）も一緒に切断して廃棄してしまうので、高価な電力用ケーブルＣ（ｃ１・ｃ２・ｃ３）を無駄にすることになり、資源を浪費し、コスト的にも高くなっていた。
【０００６】
また、接続作業においても、交換用の３本の単位ケーブルを別に用意し、この交換用の単位ケーブルを切断箇所に配置して全体の単位ケーブルを接続する必要があることから、例えば、トラフの中に配設された電力用ケーブルＣ（ｃ１・ｃ２・ｃ３）では、図１６に示すように、所定の接続部材を使用して接続部分の径が大きくなるので、スペースの関係で同一箇所において３本の単位ケーブルｃ１・ｃ２・ｃ３の接続作業を行うことができず、接続部分を長さ方向にずらしてから接続作業を行う必要があった。そのため、切断を要する３本の単位ケーブルｃ１・ｃ２・ｃ３の長さは、１本の長さの３倍である２１ｍも必要になり、単位ケーブルｃ１・ｃ２・ｃ３を切断したり接続する手間も３倍になり、非常にコストのかかる作業となっていた。
【０００７】
一方、電力用ケーブルＣを３本の単位ケーブルｃ１・ｃ２・ｃ３を撚り合わせて製造していることから、途中の一部分だけをむりやり撚り戻した場合、単位ケーブルｃ１・ｃ２・ｃ３の局部に圧力が集中的に加わることとなり、内部絶縁体に悪影響を与えて、トラブル発生の原因となる可能性があった。
【０００８】
また、電力用ケーブルＣの製造工程において、３本の単位ケーブルｃ１・ｃ２・ｃ３を均一に撚り合わせていることから、その一部分だけを強引に撚り戻した場合、撚りの反発力により作業者の手足が単位ケーブルｃ１・ｃ２・ｃ３に巻き込まれる等の危険性があった。
【０００９】
このような弊害を解消するものとして、従来においては、特許文献１に開示されているようなケーブル撚り戻し工具が提案されている。
【００１０】
このケーブル撚り戻し工具は、ホルダと、前記ホルダの内側に取付部材で螺合された複数の取付板と、前記ホルダの外側に径方向に線状に延設された把手とから構成され、前記複数の取付板は、前記ホルダに等角度で配設されると共に、少なくとも１個の取付板は取付部材と一体のノブが取り付けられ、前記ノブの回転により前記取付板と前記ケーブルとの距離が調整可能であることを特徴としている。
【特許文献１】特開２００１−２５８１１７号公報
【発明の開示】
【発明が解決しようとする課題】
【００１１】
しかしながら、上述したケーブル撚り戻し工具を使用する電力用ケーブルの補修方法においては、ホルダにおける電力用ケーブルＣ（ｃ１・ｃ２・ｃ３）との接触面が平面であり、この平面で電力用ケーブルＣ（ｃ１・ｃ２・ｃ３）を把持するため、電力用ケーブルＣ（ｃ１・ｃ２・ｃ３）を完全に掴むことができなかった。また、この補修方法に使用するケーブル撚り戻し工具は、径が細い小電力の電力用ケーブルＣ（ｃ１・ｃ２・ｃ３）には使用できるが、撚りが強く径が太い大電力の電力用ケーブルＣ（ｃ１・ｃ２・ｃ３）には使用できないという問題があった。
【００１２】
さらに、この補修方法に使用するケーブル撚り戻し工具において、電力用ケーブルＣ（ｃ１・ｃ２・ｃ３）を完全に掴むためには、取付板の締め付けを非常に強くする必要があるが、締め付けを強くすると電力用ケーブルＣ（ｃ１・ｃ２・ｃ３）の防食シース・遮水層・遮閉層（ワイヤーシールドや銅テープ）等に傷が付く可能性があり、二次的に絶縁不良を生じる慮れがあった。
【００１３】
そこで、本発明は如上のような従来存した諸事情に鑑み創出されたもので、複数の単位ケーブルを強く撚り合わせて一本化している電力用ケーブルＣ（ｃ１・ｃ２・ｃ３）であっても、これを簡単に撚り戻すことができ、事故相である１本の単位ケーブル（例えばｃ１）を健全相である他の単位ケーブル（例えばｃ２・ｃ３）から分離し、安全に補修することのできる、電力用ケーブルの補修方法を提供することを目的とする。
【課題を解決するための手段】
【００１４】
本発明は、電力用ケーブルの撚り戻し工具を使用し、複数の単位ケーブルを撚り合わせて形成した電力用ケーブルを撚り戻すことによって、事故相である単位ケーブルのみを健全相である単位ケーブルから分離して補修する電力用ケーブルの補修方法であって、電力用ケーブルの事故箇所から両側に所定距離離れた箇所に２個の撚り戻し工具を装着する工程と、撚り戻し工具を互いに電力用ケーブルの撚り方向と逆方向に回して電力用ケーブルの撚りを戻す工程と、事故相である単位ケーブルを健全相である単位ケーブルから分離させる工程と、事故相である単位ケーブルを切断する工程と、撚り戻し工具を電力用ケーブルから取り外す工程と、事故相である単位ケーブルの一部を除去し、新しい単位ケーブルで接続する工程と、から成ることで、上述した課題を解決した。
【００１５】
また、３本の単位ケーブルを撚り合わせて形成した電力用ケーブルを撚り戻すことで、同じく上述した課題を解決した。
【００１６】
さらに、事故相である単位ケーブルを切断する工程において、健全相である単位ケーブルの上に切断防護板を被せることで、同じく上述した課題を解決した。
【００１７】
また、電力用ケーブルの撚り戻し工具は、外枠と、外枠の内側に調整機構を介して配置された複数の押圧体とから成り、押圧体の正面側に、電力用ケーブルの外周面形状に沿う弾性体を備え、この弾性体を電力用ケーブルに当接させながら電力用ケーブルを撚り戻すことで、同じく上述した課題を解決した。
【００１８】
加えて、電力用ケーブルの撚り戻し工具は、隣接する単位ケーブルの外周面形状に沿うように形成された弾性体を備え、この弾性体を単位ケーブルに当接させながら電力用ケーブルを撚り戻すことで、同じく上述した課題を解決した。
【００１９】
また、電力用ケーブルの撚り戻し工具は、外枠の内側に３個の押圧体を備え、この３個の押圧体を電力用ケーブルに当接させて電力用ケーブルを撚り戻すことで、同じく上述した課題を解決した。
【００２０】
この他、電力用ケーブルの撚り戻し工具は、２個の半円状枠部により形成され、一方の半円状枠部に１個の押圧体が配置され、他方の半円状枠部に２個の押圧体が配置され、電力用ケーブルに両半円状枠部を装着して、３個の押圧体を電力用ケーブルに当接させて電力用ケーブルを撚り戻すことで、同じく上述した課題を解決した。
【発明の効果】
【００２１】
本発明に係る電力用ケーブルの補修方法は、電力用ケーブルの撚り戻し工具を使用し、複数の単位ケーブルを撚り合わせて形成した電力用ケーブルを撚り戻すことによって、事故相である単位ケーブルのみを健全相である単位ケーブルから分離して補修する電力用ケーブルの補修方法であって、電力用ケーブルの事故箇所から両側に所定距離離れた箇所に２個の撚り戻し工具を装着する工程と、撚り戻し工具を互いに電力用ケーブルの撚り方向と逆方向に回して電力用ケーブルの撚りを戻す工程と、事故相である単位ケーブルを健全相である単位ケーブルから分離させる工程と、事故相である単位ケーブルを切断する工程と、撚り戻し工具を電力用ケーブルから取り外す工程と、事故相である単位ケーブルの一部を除去し、新しい単位ケーブルで接続する工程と、から成ることから、複数の単位ケーブルを撚り合わせて形成した電力用ケーブルを無理なく撚り戻すことが可能となり、事故相である単位ケーブルを健全相である他の単位ケーブルから分離し、事故相のみを安全に補修することができる。
【００２２】
すなわち、本発明に係る電力用ケーブルの補修方法によれば、複数の単位ケーブルを撚り合わせて形成されている電力用ケーブル（複数の単位ケーブル）において、絶縁破壊等の不具合が発生している単位ケーブルを健全相である他の単位ケーブルから分離して取り出し、事故相である単位ケーブルのみを補修できるので、健全相である単位ケーブルを切断する必要がなくなる。
【００２３】
また、接続作業においても、複数の単位ケーブルを別に用意する必要がなく、１本の単位ケーブルを用意すれば足りるため、例えば、トラフの中に配設された電力用ケーブル（複数の単位ケーブル）において、１相分の接続部分のスペースを確保すれば良く、従来のように複数の単位ケーブルにおける複数の接続部分を長さ方向にずらす必要性がないため、単位ケーブルを切断する長さも従来の１／３である７ｍだけで済み、高価な電力用ケーブルを無駄にすることがないという優れた効果を奏する。
【００２４】
さらに、切断して修理する単位ケーブルが一本だけであるので、作業時間も大幅に短縮することができ、修理コストを大幅に低減することができる。
【００２５】
また、電力用ケーブル（複数の単位ケーブル）を撚り戻すことによるキックバックがなくなり、電力用ケーブル（複数の単位ケーブル）の補修作業における安全性の向上を図ることもできる。
【００２６】
加えて、本発明に係る電力用ケーブルの補修方法により、３本の単位ケーブルを撚り合わせて形成した電力用ケーブルを撚り戻したときには、接続作業においても、３本の単位ケーブルを別に用意する必要がなく、１本の単位ケーブルを用意すれば足りる。そのため、電力用ケーブル（３本の単位ケーブル）の修理コストを大幅に低減することができる。
【００２７】
また、事故相である単位ケーブルを切断する工程において、健全相である単位ケーブルの上に切断防護板を被せたときには、誤って健全相である単位ケーブルを切断してしまう事態を確実に回避している。
【００２８】
この他、電力用ケーブルの補修方法に使用する電力用ケーブルの撚り戻し工具は、外枠と、外枠の内側に調整機構を介して配置された複数の押圧体とから成り、押圧体の正面側に、電力用ケーブルの外周面形状に沿う弾性体を備えていることから、弾性体が電力用ケーブルの外周に隙間なく当接する。そして、外枠の回転圧力を電力用ケーブルの外周面全体に均等に作用させることで、電力用ケーブルに傷を付けることなく電力用ケーブルを撚り戻すことができる。
【００２９】
また、調整機構は、外枠と押圧体との間の距離を調整するもので、この調整機構を利用することで、径が細い小電力の電力用ケーブル（複数の単位ケーブル）は勿論のこと、撚りが強く径も太い大電力の電力用ケーブル（複数の単位ケーブル）に対しても、外枠をしっかりと装着できる。
【００３０】
さらに、電力用ケーブルの補修方法に使用する電力用ケーブルの撚り戻し工具は、隣接する単位ケーブルの外周面形状に沿うように形成された弾性体を備えていることから、弾性体を備えた押圧体により、しっかりと電力用ケーブル（複数の単位ケーブル）を掴むことができる。この状態において、外枠の回転圧力を電力用ケーブル（複数の単位ケーブル）の外周面全体に均等に作用させることで、電力用ケーブル（複数の単位ケーブル）に傷を付けることなく電力用ケーブルを撚り戻すことができる。
【００３１】
加えて、電力用ケーブルの補修方法に使用する電力用ケーブルの撚り戻し工具は、外枠の内側に３個の押圧体を備えていることから、電力用ケーブル（複数の単位ケーブル）の外周面全体に対して三方向から押圧体を当接させ、外枠の回転圧力を電力用ケーブル（複数の単位ケーブル）の外周面全体に均等に作用させることで、電力用ケーブル（複数の単位ケーブル）の防食シース・遮水層・遮閉層（ワイヤーシールドや銅テープ）等に傷を付けることがなく、二次的に絶縁不良が生じる危険性を解消している。
【００３２】
また、電力用ケーブルの撚り戻し工具は、２個の半円状枠部により形成され、一方の半円状枠部に１個の押圧体が配置され、他方の半円状枠部に２個の押圧体が配置されていることから、両半円状枠部を電力用ケーブル（複数の単位ケーブル）を挟むようにして装着することにより、３個の弾性体が電力用ケーブル（複数の単位ケーブル）の外周面全体に隙間なく当接し、外枠の回転圧力を電力用ケーブル（複数の単位ケーブル）の外周面全体に均等に作用させることで、電力用ケーブル（複数の単位ケーブル）に傷を付けることなく電力用ケーブル（複数の単位ケーブル）を撚り戻すことができる。
【発明を実施するための最良の形態】
【００３３】
以下に、本発明を実施するための最良の形態を、図面を参照して説明する。
【００３４】
本発明は、電力用ケーブルの撚り戻し工具を使用し、複数の単位ケーブル（ｃ１・ｃ２・ｃ３）を撚り合わせて形成した電力用ケーブルＣを撚り戻すことによって、事故相である単位ケーブル（例えばｃ１）のみを健全相である単位ケーブル（例えばｃ２・ｃ３）から分離して補修する電力用ケーブルＣの補修方法である。
【００３５】
この電力用ケーブルＣの補修方法は、図１に示すように、電力用ケーブルＣ（ｃ１・ｃ２・ｃ３）の事故箇所から両側に所定距離離れた箇所に２個の撚り戻し工具を装着する工程（Ｋ１）と、撚り戻し工具を互いに電力用ケーブルＣ（ｃ１・ｃ２・ｃ３）の撚り方向と逆方向に回して電力用ケーブルＣ（ｃ１・ｃ２・ｃ３）の撚りを戻す工程（Ｋ２）と、事故相である単位ケーブル（例えばｃ１）を健全相である単位ケーブル（例えばｃ２・ｃ３）から分離させる工程（Ｋ３）と、事故相である単位ケーブル（例えばｃ１）を切断する工程（Ｋ５）と、撚り戻し工具を電力用ケーブルＣから取り外す工程（Ｋ６）と、事故相である単位ケーブル（例えばｃ１）の一部を除去し、新しい単位ケーブルで接続する工程（Ｋ７）と、から成る。
【００３６】
また、事故相である単位ケーブル（例えばｃ１）を切断する工程（Ｋ５）において、健全相である単位ケーブル（例えばｃ２・ｃ３）の上に切断防護板１６を被せる工程（Ｋ４）を備えている。
【００３７】
ここで、本発明に係る電力用ケーブルＣの補修方法に使用される電力用ケーブルの撚り戻し工具について説明する。
【００３８】
本発明に係る電力用ケーブルの撚り戻し工具は、図２乃至図４に示すように、電力用ケーブルＣを把持する外枠１と、外枠１の内側に調整機構２を介して配置された複数の押圧体３とから成り、押圧体３の正面側に、電力用ケーブルＣの外周面形状に沿う弾性体４を備えている。
【００３９】
また、外枠１は、図２・図３に示すように、２個の半円状枠部１Ａ・１Ｂにより形成され、一方の半円状枠部１Ａに１個の押圧体３（３ａ）が配置され、他方の半円状枠部１Ｂに２個の押圧体３（３ｂ・３ｃ）が配置されている。そして、個々の押圧体３（３ａ・３ｂ・３ｃ）は、それぞれ弾性体４（４ａ・４ｂ・４ｃ）を備えている。
【００４０】
電力用ケーブルＣは、図１５に示すように、３本の単位ケーブルｃ１・ｃ２・ｃ３により形成されている。具体的には、隣合う単位ケーブルｃ１・ｃ２・ｃ３同士の外周面が接するように３本の単位ケーブルｃ１・ｃ２・ｃ３を撚り合わせ、実質上一本化するように形成されている。この電力用ケーブルＣ（ｃ１・ｃ２・ｃ３）に当接する押圧体３（３ａ・３ｂ・３ｃ）の弾性体４（４ａ・４ｂ・４ｃ）は、図４・図５に示すように、隣接する単位ケーブルｃ１・ｃ２・ｃ３の外周面形状に沿うように形成されている。
【００４１】
具体的には、弾性体４（４ａ・４ｂ・４ｃ）は、図３・図５に示すように、小円形状の当接面を２個連ねた連設当接面５（５ａ・５ｂ・５ｃ）を備えるように形成されている。この連設当接面５（５ａ・５ｂ・５ｃ）が、電力用ケーブルＣを構成する単位ケーブルｃ１・ｃ２・ｃ３の外周面に隙間なく当接する。
【００４２】
例えば、図２に示すように、１つの押圧体３（３ａ）の連設当接面５（５ａ）は、２本の単位ケーブルｃ１・ｃ３の外周面に当接する。また、他の押圧体３（３ｂ）の連設当接面５（５ｂ）は、２本の単位ケーブルｃ１・ｃ２の外周面に当接する。さらに、他の押圧体３（３ｃ）の連設当接面５（５ｃ）は、２本の単位ケーブルｃ２・ｃ３の外周面に当接する。そして、外枠１（１Ａ・１Ｂ）の回転圧力を電力用ケーブルＣ（ｃ１・ｃ２・ｃ３）の外周面全体に均等に作用させることで、電力用ケーブルＣ（ｃ１・ｃ２・ｃ３）に傷を付けることなく撚り戻すことができる。
【００４３】
電力用ケーブルＣ（ｃ１・ｃ２・ｃ３）に当接する押圧体３（３ａ・３ｂ・３ｃ）の弾性体４（４ａ・４ｂ・４ｃ）は、所定のクッション性を備えた弾力性のある合成ゴムやシリコンゴム等の材料から形成されている。また、押圧体３（３ａ・３ｂ・３ｃ）の弾性体４（４ａ・４ｂ・４ｃ）は、弾性体４よりも硬い硬弾性体６（６ａ・６ｂ・６ｃ）を介して押圧体３（３ａ・３ｂ・３ｃ）に取り付けられている。
【００４４】
押圧体３（３ａ・３ｂ・３ｃ）自身は、図４乃至図６に示すように、円周を３分割した長さを備えた長方形状の湾曲板７（７ａ・７ｂ・７ｃ）から成り、この湾曲板７（７ａ・７ｂ・７ｃ）の正面側である湾曲内側面に、硬質ゴム製の硬弾性体６（６ａ・６ｂ・６ｃ）を介して弾性体４（４ａ・４ｂ・４ｃ）を取り付けている。
【００４５】
また、押圧体３（３ａ・３ｂ・３ｃ）は、鋼鉄等の金属材料より形成されている。さらに、図５・図６に示すように、湾曲板７（７ａ・７ｂ・７ｃ）の背面側である湾曲外側面には、固定杆８（８ａ・８ｂ・８ｃ）を延設している。この固定杆８（８ａ・８ｂ・８ｃ）は、調整機構２（２ａ・２ｂ・２ｃ）の一部を構成するものでもある。
【００４６】
押圧体３（３ａ・３ｂ・３ｃ）の背面側である湾曲外側面には、図５・図６に示すように、調整機構２（２ａ・２ｂ・２ｃ）が配置されている。調整機構２（２ａ・２ｂ・２ｃ）は、外枠１（１Ａ・１Ｂ）と押圧体３（３ａ・３ｂ・３ｃ）との間の距離を調整するものである。
【００４７】
この調整機構２（２ａ・２ｂ・２ｃ）は、基本的に、外周にねじ山９（９ａ・９ｂ・９ｃ）を設けて押圧体３（３ａ・３ｂ・３ｃ）の背面側に延設した固定杆８（８ａ・８ｂ・８ｃ）と、外枠１（１Ａ・１Ｂ）に設けた貫通孔１Ａａ、１Ｂｂ・１Ｂｃとから成る。そして、図６に示すように、固定杆８（８ａ）の端部を外枠１（１Ａ）の貫通孔１Ａａに挿入し、固定杆８（８ａ）の端部を外枠１（１Ａ）の外側に突出させ、ワッシャ１０（１０ａ）を介してナット１１（１１ａ）を螺合させる。また、外枠１（１Ａ）の内側に位置する押圧体３（３ａ）の固定杆８（８ａ）に、２個のワッシャ１２（１２ａ）を介してコイルばね１３（１３ａ）を装着しておく。
【００４８】
この状態において、ナット１１（１１ａ）を回転させて外枠１（１Ａ）の外側に突出している固定杆８（８ａ）の端部を長くすると、外枠１（１Ａ）と押圧体３（３ａ）の間の距離が短くなり、太い径の電力用ケーブルＣ（ｃ１・ｃ２・ｃ３）に対応可能となる。また、ナット１１（１１ａ）を回転させて外枠１（１Ａ）の外側に突出している固定杆８（８ａ）の端部を短くすると、外枠１（１Ａ）と押圧体３（３ａ）の間の距離が長くなり、細い径の電力用ケーブルＣ（ｃ１・ｃ２・ｃ３）に対応可能となる。
【００４９】
この調整機構２（２ａ・２ｂ・２ｃ）を介して、図２乃至図４に示すように、外枠１（１Ａ・１Ｂ）の内側に、３個の押圧体３（３ａ・３ｂ・３ｃ）が取り付けらている。また、ナット１１（１１ａ・１１ｂ・１１ｃ）を回転させることにより、外枠１（１Ａ・１Ｂ）と押圧体３（３ａ・３ｂ・３ｃ）の間の距離を調整できるので、電力用ケーブルＣ（ｃ１・ｃ２・ｃ３）の太さに合わせて、外枠１（１Ａ・１Ｂ）の最適の位置に押圧体３（３ａ・３ｂ・３ｃ）を配置できる。
【００５０】
外枠１は、鋼鉄等の強固な金属材料により形成されている。また、図４・図６に示すように、外枠１を構成する半円状枠部１Ａ・１Ｂの両端部のそれぞれを水平状に折曲し、当接片１ＡＡ・１ＢＢを設けている。当接片１ＡＡ・１ＢＢには孔１Ａｄ・１Ｂｄが設けられており、両半円状枠部１Ａ・１Ｂの当接片１ＡＡ・１ＢＢ同士を接触させ、固定ボルト１４を当接片１ＡＡ・１ＢＢの孔１Ａｄ・１Ｂｄに挿入してナット１５を螺合させ、両半円状枠部１Ａ・１Ｂを固定するものである。
【００５１】
また、当接片１ＡＡ・１ＢＢには、方形状の握り孔１Ａｅ・１Ｂｅが設けられており、半円状枠部１Ａ・１Ｂの当接片１ＡＡ・１ＢＢを手で握り易くしている。
【００５２】
次に、このように形成された電力用ケーブルの撚り戻し工具を用いた電力用ケーブルの補修作業を詳述する。
【００５３】
（Ｋ１…電力用ケーブルの撚り戻し工具を事故箇所に２個設置する工程）
先ず、図７に示すように、２個の外枠１を、電力用ケーブルＣ（ｃ１・ｃ２・ｃ３）の不良箇所Ｐの両側に配置する。電力用ケーブルＣ（ｃ１・ｃ２・ｃ３）へ配置する外枠１（１Ａ・１Ｂ）の位置は、電力用ケーブルＣ（ｃ１・ｃ２・ｃ３）の太さによって異なるが、通常は、不良箇所Ｐから１ｍ〜２ｍの間隔を開けて２個の外枠１（１Ａ・１Ｂ）を配置する。この距離は、電力用ケーブルＣ（ｃ１・ｃ２・ｃ３）の撚りピッチ間隔に相当するものである。
【００５４】
このとき、電力用ケーブルＣ（ｃ１・ｃ２・ｃ３）は、トラフ内等に配設されており、補修時には、電力用ケーブルＣ（ｃ１・ｃ２・ｃ３）をトラフ上に持ち上げて補修作業を行う。
【００５５】
次いで、図２に示すように、それぞれの外枠１において、両半円状枠部１Ａ・１Ｂの当接片１ＡＡ・１ＢＢ同士を接触させ、固定ボルト１４とナット１５を用いて両半円状枠部１Ａ・１Ｂを固定する。また、押圧体３（３ａ・３ｂ・３ｃ）は、弾性体４（４ａ・４ｂ・４ｃ）の位置が電力用ケーブルＣ（ｃ１・ｃ２・ｃ３）の外径に合うように調整機構２（２ａ・２ｂ・２ｃ）を予め調整しておくが、位置が合わない場合は、ナット１１（１１ａ・１１ｂ・１１ｃ）を再度調整して、押圧体３（３ａ・３ｂ・３ｃ）の弾性体４（４ａ・４ｂ・４ｃ）の位置を合わせる。
【００５６】
（Ｋ２…電力用ケーブルの撚り戻し工具により電力用ケーブルを撚り戻す工程）
次いで、図８に示すように、２個の外枠１をそれぞれ逆方向（図中の矢印方向）で、しかも、電力用ケーブルＣ（ｃ１・ｃ２・ｃ３）の撚りを戻す方向に回転させる。
【００５７】
（Ｋ３…電力用ケーブルの事故相と健全相を分離する工程）
そして、図９に示すように、撚りが戻った状態を保持し、不具合が発生している単位ケーブルｃ１のみを、健全な他の２本の単位ケーブルｃ２・ｃ３から分離させる。
【００５８】
（Ｋ４…電力用ケーブルの健全相に切断防護板を設置する工程）
次いで、図１０に示すように、健全な２本の単位ケーブルｃ２・ｃ３の上に金属製の切断防護板１６を設置する。切断防護板１６は、不具合が発生している単位ケーブルｃ１を切断する際に、誤って健全な２本の単位ケーブルｃ２・ｃ３を切断したり傷付けたりするのを防止するものである。
【００５９】
（Ｋ５…電力用ケーブルの事故相を切断する工程）
次いで、図１１に示すように、カッター１７を用いて不具合が発生している単位ケーブルｃ１を切断する。
【００６０】
（Ｋ６…電力用ケーブルの撚り戻し工具を取り外す工程）
次いで、電力用ケーブルＣ（ｃ１・ｃ２・ｃ３）に装着している２個の外枠１を取り外す。すると、健全な２本の単位ケーブルｃ２・ｃ３は、撚り合った元の状態に復帰する。
【００６１】
（Ｋ７…電力用ケーブルの事故相の一部を除去し、新しい電力用ケーブルで接続する工程）
切断した単位ケーブルｃ１は、切断部分を介して２本の単位ケーブルに分かれる。そして、一方の単位ケーブルｃ１を手で持って引っ張りながら回転させ、撚り合っている２本の単位ケーブルｃ２・ｃ３から３．５ｍ程度単位ケーブルｃ１を引き出した状態で再度切断する。さらに、他方の単位ケーブルｃ１も手で持って引っ張りながら回転させ、撚り合っている２本の単位ケーブルｃ２・ｃ３から３．５ｍ程度単位ケーブルｃ１を引き出した状態で再度切断する。
【００６２】
次いで、切断した７ｍ程度の単位ケーブルｃ１を除去し、切断部分を新しい単位ケーブルで接続して作業を完了する。
【００６３】
電力用ケーブルの撚り戻し工具は、上述した実施の形態に限定されるものではなく、他の構成を採用することも可能である。例えば、図１１に示すように、外枠１を片開き構造にしても良い。この外枠１（１Ａ・１Ｂ）は、２個の半円状枠部１Ａ・１Ｂの一端側部分同士をピン１８を用いて回動可能に軸着し、両半円状枠部１Ａ・１Ｂの他端側部分同士を、固定ボルト１４とナット１５を用いて結合可能にしてある。このように構成された電力用ケーブルの撚り戻し工具は、外枠１（１Ａ・１Ｂ）が開閉することにより、電力用ケーブルＣ（ｃ１・ｃ２・ｃ３）への外枠１の取付作業が一層容易となり、作業能率が向上する。
【００６４】
また、図１２・図１３に示すように、外枠１（１Ｂ）に接続固定部１９を一体的に形成し、この接続固定部１９に把み片２０を取り付けても良い。接続固定部１９は、所定の脚部に２個のネジ孔１９ａを設けている。一方、長尺板状に形成された把み片２０にも、２個の孔２０ａを設けておく。そして、把み片２０の孔２０ａにボルト２１を挿入し、接続固定部１９のネジ孔１９ａにボルト２１をネジ込んで、把み片２０を接続固定部１９に固定する。このように構成された２個の外枠１は、図１４に示すように、把み片２０の位置が反対になるように電力用ケーブルＣ（ｃ１・ｃ２・ｃ３）に取り付ける。そして、それぞれ逆方向（図中の矢印方向）で、しかも、電力用ケーブルＣ（ｃ１・ｃ２・ｃ３）の撚りを戻す方向に回転させて、不具合が発生している単位ケーブルｃ１のみを、健全な他の２本の単位ケーブルｃ２・ｃ３から分離させるのである。
【産業上の利用可能性】
【００６５】
本発明は、撚りの強い電力用ケーブルＣ（ｃ１・ｃ２・ｃ３）であっても、ケーブルの内部構造に悪影響を与えることなく簡単に撚り戻すことができ、不具合が発生している単位ケーブルｃ１のみを、健全な他の２本の単位ケーブルｃ２・ｃ３から分離して安全に補修できる、電力用ケーブルの補修方法として、種々の工事に広く利用することができる。
【図面の簡単な説明】
【００６６】
【図１】本発明に係る電力用ケーブルの補修方法を、各工程別に示した説明図である。
【図２】電力用ケーブルに外枠を装着している電力用ケーブルの撚り戻し工具の使用状態を示す分解側面図である。
【図３】電力用ケーブルの撚り戻し工具を構成する両外枠が離れている状態を示す側面図である。
【図４】電力用ケーブルの撚り戻し工具を構成する両外枠が離れている状態を示す分解斜視図である。
【図５】外枠に調整機構を介して押圧体を取り付けた状態を示す拡大断面図である。
【図６】外枠に調整機構を介して押圧体を取り付けた状態を示す分解斜視図である。
【図７】電力用ケーブルに外枠を２個装着した使用状態を示す平面図である。
【図８】電力用ケーブルに外枠を２個装着した使用状態を示す斜視図である。
【図９】２個の外枠を回転させて不具合が発生している単位ケーブルを健全な単位ケーブルから分離した状態を示す斜視図である。
【図１０】健全な単位ケーブルに切断防護板を設置し、不具合が発生している単位ケーブルを切断する状態を示す斜視図である。
【図１１】片開き構造の外枠の構成を示す側面図である。
【図１２】電力用ケーブルに把み手を備えた外枠を装着している電力用ケーブルの撚り戻し工具の使用状態を示す分解側面図である。
【図１３】把み手を備えた外枠が他の外枠から離れている状態を示す分解斜視図である。
【図１４】電力用ケーブルに把み手を備えた外枠を２個装着した使用状態を示す斜視図である。
【図１５】３本の単位ケーブルを撚り合わせた電力用ケーブルの構成を示す斜視図である。
【図１６】従来の電力用ケーブルの補修作業の一例を示した説明図である。
【符号の説明】
【００６７】
Ｃ      電力用ケーブル
ｃ１    単位ケーブル
ｃ２    単位ケーブル
ｃ３    単位ケーブル
Ｐ      不良箇所
１      外枠
１Ａ    半円状枠部
１Ｂ    半円状枠部
１Ａａ  貫通孔
１Ｂｂ  貫通孔
１Ｂｃ  貫通孔
１ＡＡ  当接片
１ＢＢ  当接片
１Ａｄ  孔
１Ｂｄ  孔
１Ａｅ  握り孔
１Ｂｅ  握り孔
２      調整機構
２ａ    調整機構
２ｂ    調整機構
２ｃ    調整機構
３      押圧体
３ａ    押圧体
３ｂ    押圧体
３ｃ    押圧体
４      弾性体
４ａ    弾性体
４ｂ    弾性体
４ｃ    弾性体
５      連設当接面
５ａ    連設当接面
５ｂ    連設当接面
５ｃ    連設当接面
６      硬弾性体
６ａ    硬弾性体
６ｂ    硬弾性体
６ｃ    硬弾性体
７      湾曲板
７ａ    湾曲板
７ｂ    湾曲板
７ｃ    湾曲板
８      固定杆
８ａ    固定杆
８ｂ    固定杆
８ｃ    固定杆
９      ねじ山
９ａ    ねじ山
９ｂ    ねじ山
９ｃ    ねじ山
１０      ワッシャ
１０ａ    ワッシャ
１１      ナット
１１ａ    ナット
１１ｂ    ナット
１１ｃ    ナット
１２      ワッシャ
１２ａ    ワッシャ
１３      コイルばね
１３ａ    コイルばね
１４      固定ボルト
１５      ナット
１６      切断防護板
１７      カッター
１８      ピン
１９      接続固定部
１９ａ    ネジ孔
２０      把み片
２０ａ    孔
２１      ボルト
【図１】
2006246579.tif 000003
【図２】
2006246579.tif 000004
【図３】
2006246579.tif 000005
【図４】
2006246579.tif 000006
【図５】
2006246579.tif 000007
【図６】
2006246579.tif 000008
【図７】
2006246579.tif 000009
【図８】
2006246579.tif 000010
【図９】
2006246579.tif 000011
【図１０】
2006246579.tif 000012
【図１１】
2006246579.tif 000013
【図１２】
2006246579.tif 000014
【図１３】
2006246579.tif 000015
【図１４】
2006246579.tif 000016
【図１５】
2006246579.tif 000017
【図１６】
2006246579.tif 000018